(57)【特許請求の範囲】
【請求項１】
掃除機本体、ホース、吸込具、及び連結パイプを、直方体から成る外装箱内にて緩衝材により固定して外部衝撃から保護する電気掃除機の梱包装置において、
前記緩衝材を、再生可能な材料から成るシートから構成し、このシートは、前記外装箱の内面に当接する複数の当接片部と、該外装箱内面から所定距離浮かせて衝撃吸収空間を確保するための複数の空間確保片部と、該外装箱内を、掃除機本体収納部、ホース収納部、吸込具収納部、及び連結パイプ収納部に画成する複数の収納部形成片部とに折り曲げ又は切り起こし形成されるとともに、前記連結パイプ収納部は、前記複数の収納部形成片部のうち、前記直方体から成る外装箱を平面的にみてその長手方向に延びる中心軸線上に配置されてこの中心軸方向で対向する片部の各上縁より切り起こして形成した凹部から形成し、該凹部には、再生可能な材料から成りかつ前記連結パイプとほぼ同じ長さに設定された別体からなるパイプ支持部材をはめ込み、該パイプ支持部材内に前記連結パイプを収納し、さらに該外装箱の前記中心軸方向内寸法を前記連結パイプの長さとほぼ一致させたことを特徴とする電気掃除機の梱包装置。
【請求項２】
前記緩衝材は、複数枚のシートを折り曲げ又は切り起こすことで形成されているとともに、その一部が掃除機本体の底面に配設され、この本体底面側に配設した第１の底面シートと本体底部の間に、さらに空間確保片部となる第２の底面シートを配設したことを特徴とする請求項１記載の電気掃除機の梱包装置。
【請求項３】
前記第２の底面シートを、前記第１の底面シートから切り起こして形成したことを特徴とする請求項２記載の電気掃除機の梱包装置。
【発明の詳細な説明】
【０００１】
【発明の属する技術分野】
本発明は、発泡スチロールを一切使用することなく、再生可能な材料のみを使用して電気掃除機の本体やアタッチメントを安全に収納保護する梱包装置に関する。
【０００２】
【従来の技術】
この種の従来の梱包装置は、掃除機本体全体を上下または左右に分割された分厚い発泡スチロールで包み込むものであった。このため、梱包する箱体の体積が大きくなり、輸送コストが高く、また発泡スチロールの焼却廃棄に際して有害物質を発生する問題点があった。
【０００３】
そこで、掃除機本体を、上面緩衝体である上面段ボールパットと下面緩衝体である下面段ボールパットと側面緩衝体である周面段ボールパットで包み込み、上面段ボールパット上にはホース、吸込具及び連結パイプを収納するとともに、下面段ボールパットの掃除機本体車輪側に垂直壁からなる車輪緩衝用折曲片を設けて車輪を緩衝用折曲片に接触させることで保護し、これらを外装箱内に収納するようにして発泡スチロールを一切使用することなく、再生可能な段ボールのみを使用して電気掃除機本体を安全に固定保護できるようにした梱包装置が提案されている（例えば特許文献１参照）。
【０００４】
しかしながら、このように上面段ボールパットで収納空間を上下に画成して、上部空間内にホース、吸込具および連結パイプ等のアタッチメントを単に収納するようにしたものにあっては、ホース、吸込具および連結パイプ等のアタッチメントの自由動を防止できず、これらが互いにぶつかりあってキズがつき易いという問題があった。さらに、連結パイプが固定されていないため、これを外装箱の補強用の支柱として利用することもできなかった。
【０００５】
また、掃除機本体の車輪を垂直壁からなる車輪緩衝用折曲片に接触させることで保護する構成では、車輪の傷つきは防止できるが、直接掃除機本体を支えていないので、例えば夏期に倉庫等で保管中に高温多湿状態になった場合、掃除機本体の重量を車輪が支えきれず、車輪が変形しやすいという問題があった。
【０００６】
ところで、連結パイプを外装箱内で固定することについては、連結パイプを外装箱内の一側で固定するようにしたもの（例えば特許文献２参照）や、連結パイプを外装箱内で対角線上に配置することで固定するようにしたもの（例えば特許文献３参照）が提案されている。
【０００７】
【特許文献１】
特開平９−１８２６９５号公報
【特許文献２】
特開平１１−２４５９６８号公報
【特許文献３】
特開２０００−１６６８３６号公報
【０００８】
【発明が解決しようとする課題】
しかしながら、連結パイプを外装箱内の一側で固定するようにしたものにあっては、連結パイプに外装箱補強機能を持たせることができなかった。
【０００９】
また、連結パイプを外装箱内で対角線上に配置することで固定するようにしたものにあっては、連結パイプは常に外装箱の変形を助長する方向に作用するという問題が存在していた。
【００１０】
すなわち、従来は、振動や落下の際に、外装箱の座屈破れが生じ易く、また高温多湿状態の倉庫等での保管中に車輪が変形するのを防止できないという問題があった。
【００１１】
本発明の技術的課題は、再生可能な材料のみを使用して電気掃除機の本体や連結パイプ等のアタッチメントを安全に収納保護できるようにするとともに、収納する連結パイプによって外装箱を補強できるようにし、かつ保管中の車輪の変形を防止できるようにすることにある。
【００１２】
【課題を解決するための手段】
本発明の電気掃除機の梱包装置は、掃除機本体、ホース、吸込具、及び連結パイプを、直方体から成る外装箱内にて固定して外部衝撃から保護する緩衝材を、再生可能な材料から成るシートから構成し、このシートは、外装箱の内面に当接する複数の当接片部と、外装箱内面から所定距離浮かせて衝撃吸収空間を確保するための複数の空間確保片部と、外装箱内を、掃除機本体収納部、ホース収納部、吸込具収納部、及び連結パイプ収納部に画成する複数の収納部形成片部とに折り曲げ又は切り起こし形成されるとともに、連結パイプ収納部は、複数の収納部形成片部のうち、前記直方体から成る外装箱を平面的にみてその長手方向に延びる中心軸線上に配置されてこの中心軸方向で対向する片部の各上縁より切り起こして形成した凹部から形成し、この凹部には、再生可能な材料から成りかつ連結パイプとほぼ同じ長さに設定された別体からなるパイプ支持部材をはめ込み、このパイプ支持部材内に連結パイプを収納し、さらに外装箱の中心軸方向内寸法を連結パイプの長さとほぼ一致させたものである。
【００１３】
【発明の実施の形態】
実施形態１．
以下、図示実施形態により本発明を説明する。図１は本発明の第１の実施形態に係る電気掃除機の梱包装置とこれに収納される掃除機との関係を示す分解斜視図、図２は一枚のシートを折り曲げ又は切り起こし形成してなる緩衝材を外装箱内に組み入れた状態を示す斜視図、図３は図２の状態から掃除機本体、ホース、吸込具、パイプ支持部材、及び連結パイプを収納した状態を示す斜視図、図４はパイプ支持部材を示す平面図、図５はパイプ支持部材と連結パイプの関係を示す斜視図、図６は緩衝材を展開した状態を示す平面図、図７は緩衝材の完成状態を示す拡大平面図である。
【００１４】
本実施形態に係る電気掃除機の梱包装置は、再生可能な材料すなわち段ボール製の直方体から成る外装箱２１内に、同じく段ボール製の緩衝材２２を収納して成るもので、この外装箱２１及び緩衝材２２からなる梱包装置に、電気掃除機の本体２３、蛇腹状のホース２４、吸込具であるＴ形ノズル２７、吸込具である隙間ノズル２８、段ボール製のパイプ支持部材２９が収納支持され、さらにパイプ支持部材２９内に連結パイプ３１が収納されて構成されている。なお、蛇腹状のホース２４の一方の端には本体への差込部２５が、また他方の端には手元操作部２６が設けられている。
【００１５】
緩衝材２２は、図６に示す如く、ここでは一枚の段ボールシート４０から構成され、段ボールシート４０を折り曲げ又は切り起こして形成されている。
【００１６】
すなわち、段ボールシート４０には、図６に一点鎖線と破線で示す折り目が形成されており、このうち一点鎖線の折り目４１，４２，４３，４４，４５，４６，４７，４８，４９，５０，５１，５２，５３，５４，５５，５６，５７，５８はそれぞれ谷折り部、破線の折り目６１，６２，６３，６４，６５，６６，６７，６８，６９，７０，７１，７２，７３，７４，７５，７６はそれぞれ山折り部となっている。また、面内の実線部分８１，８２，８３，８４，８５，８６，８７，８８，８９，９０，９１，９２，９３，９４，９５，９６，９７，９８，９９，１００はスリットとなっている。
【００１７】
そして、一点鎖線の折り目４１〜５８に沿って谷折りし、破線の折り目６１〜７６に沿って山折りすることで、図１，図２，図３，図６及び図７のように外装箱の内周面に当接する当接片部１１１，１１２，１１３，１１４と、外装箱の底面に当接する当接片部１１５，１１６と、外装箱内周面から所定距離浮かせて衝撃吸収空間を確保するための空間確保片部１２１，１２２，１２３，１２４と、外装箱底面から所定距離浮かせて衝撃吸収空間を確保するための空間確保片部１２５，１２６と、外装箱内を、掃除機本体収納部Ａ、ホース収納部Ｂ、吸込具収納部Ｃ、及び連結パイプ収納部Ｄに画成する複数の収納部形成片部１３１，１３２，１３３，１３４が形成される。なお、ホース収納部Ｂは、図７に一点鎖線で示すように各収納部形成片部１３１，１３２，１３３，１３４の外側に形成され、これらの外側部分に蛇腹状ホース２４が巻回され、収納部形成片部１３１，１３３にて画成される三角空間Ｂａ，Ｂｂ内にその両端の手元操作部２６と差込部２５が収納されるようになっている。また、連結パイプ収納部Ｄは、図１，図２，図３，図７のように直方体から成る外装箱２１を平面的にみてその長手方向に延びる中心軸線上に位置するように、対向する収納部形成片部１３２，１３４の各上縁より切り起こして形成した凹部１４１，１４２（図１）から形成し、かつ外装箱２１の前記中心軸方向内寸法は、連結パイプ３１の長さとほぼ一致するように設定されている。
【００１８】
連結パイプ収納部Ｄとなる凹部１４１，１４２には、図４及び図５に示す別体からなるパイプ支持部材２９が上方よりはめ込まれ、パイプ支持部材２９内に連結パイプ３１が収納されるようになっている。パイプ支持部材２９は、連結パイプ３１とほぼ同じ長さに設定され、その谷折り部となる折り目１５１，１５２に沿って谷折りすることで、凹部１４１，１４２間に跨ってはめ込むことができるようになっている。また、パイプ支持部材２９には、一端側にスリット１６１，１６２，１６３が設けられ、折り目１５１，１５２に沿って谷折りした際に、下方への突出片１７１，１７２が形成され、これら突出片１７１，１７２が、図３に示すようにパイプ支持部材２９を凹部１４１，１４２にはめ込んだ際に、収納部形成片部１３２の外側に位置し、収納部形成片部１３２とこれに対向する外装箱２１の内面との間に衝撃吸収空間を形成する機能を有する。
【００１９】
また、図６に示す当接片部１１３，１１４にそれぞれ形成した折り目６７，５７，６８、７５，５８，７６に沿って折り曲げることで、図１、図２及び図７に示すように各当接片部１１３，１１４のコーナ部の下方に補強部１８１，１８２が形成され、衝撃などによって吸込具収納部Ｃの空間が狭まるのを防止できるようになっている。
【００２０】
また、図６に示す当接片部１１３，１１４にそれぞれ形成したスリット９３，９８より形成される突出片１９１，１９２は、段ボールシート４０を折り曲げ形成した際に、スリット９２，９９にはめ込まれ、これによって図７に示すように空間確保片部１２３，１２４により形成される衝撃吸収空間をバックアップし、衝撃などによって前記衝撃吸収空間が狭まるのを防止できるようになっている。
【００２１】
次に、前述の構成を有する本実施形態の梱包装置の組付手順について図１乃至図７により説明する。
【００２２】
まず、図６の展開状態にある段ボールシート４０を、一点鎖線の折り目４１〜５８に沿って谷折りし、破線の折り目６１〜７６に沿って山折りして、図１及び図７のように当接片部１１１，１１２，１１３，１１４，１１５，１１６と、空間確保片部１２１，１２２，１２３，１２４，１２５，１２６と、収納部形成片部１３１，１３２，１３３，１３４とを形成し、図２のように外装箱２１内に収納する。これにより、外装箱２１内に、掃除機本体収納部Ａ、ホース収納部Ｂ、三角空間Ｂａ，Ｂｂ、吸込具収納部Ｃ、及び連結パイプ収納部Ｄが画成される。
【００２３】
次に、掃除機本体収納部Ａ内に、収納部形成片部１３２側が前方となるように掃除機本体２３を収納する。次いで、吸込具収納部Ｃ内に、Ｔ形ノズル２７と隙間ノズル２８を収納した後、各収納部形成片部１３１，１３２，１３３，１３４の外側に形成されているホース収納部Ｂに、蛇腹状ホース２４を巻回し、その両端の手元操作部２６と差込部２５を三角空間Ｂａ，Ｂｂ内にそれぞれ収納する。なお、隙間ノズル２８は三角空間Ｂｂ内に収納してもよい。
【００２４】
次いで、連結パイプ収納部Ｄとなる凹部１４１，１４２内に、パイプ支持部材２９を掛け渡してはめ込む。そのとき、蛇腹状ホース２４を押さえ込むようにする。その後、パイプ支持部材２９内に、連結パイプ３１を収納し、外装箱２１のフラップを閉じ、粘着テープで固定する。
【００２５】
このように、本実施形態の梱包装置は、直方体から成る外装箱２１を平面的にみてその長手方向に延びる中心軸線上にほぼ同じ長さに設定された連結パイプ３１とパイプ支持部材２９を配置し、かつ外装箱２１の前記中心軸方向内寸法を連結パイプ３１の長さとほぼ一致させているので、連結パイプ３１とパイプ支持部材２９が支柱として作用し、外装箱２１を補強する。このため、落下時の衝撃や輸送時の振動に対して連結パイプ３１とパイプ支持部材２９が支柱の役目を果たし、掃除機本体２３への直接の衝撃を緩和する。
【００２６】
また、掃除機本体２３は、緩衝材２２によって外装箱２１の内面から浮いた状態で収納されているので、前記連結パイプ３１とパイプ支持部材２９による補強効果と相俟って、落下時の衝撃や輸送時の振動に対する保護機能が向上する。
【００２７】
また、連結パイプ３１をパイプ支持部材２９を用いて収納しているため、落下時の衝撃や輸送時の振動を連結パイプ３１だけでなく、パイプ支持部材２９にも受けさせることができ、受圧面積の増大によって強度が向上し、外装箱の座屈破れを防止することができる。さらに、他のアタッチメントとの干渉を完全に防ぐことができて、キズ付き防止となる。
【００２８】
実施形態２．
図８は本発明の第２の実施形態に係る電気掃除機の梱包装置とこれに収納される掃除機との関係を示す分解斜視図、図９は緩衝材を展開した状態を示す平面図、図１０は緩衝材の一部である底面シートを展開した状態を示す平面図、図１１及び図１２は第１の底面シートと第２の底面シートの関係を示す側面図、図１３は掃除機本体の背面図、図１４は緩衝材の完成状態を示す拡大平面図であり、各図中、前述の第１実施形態と同一機能部分には同一符号を付してある。なお、ここでは説明にあたって前述の図２乃至図５を参照するものとする。
【００２９】
この第２本実施形態に係る電気掃除機の梱包装置は、段ボール製の外装箱２１内に収納される緩衝材２２Ａが、図８乃至図１２に示す如く３枚の段ボールシート４０Ａ，４０Ｂ，４０Ｃに分割構成され、これら段ボールシート４０Ａ，４０Ｂ，４０Ｃを折り曲げ又は切り起こして形成されている。
【００３０】
すなわち、各段ボールシート４０Ａ，４０Ｂ，４０Ｃには、図９及び図１０に一点鎖線と破線で示す折り目が形成されており、このうち一点鎖線の折り目４１，４２，４３，４４，４５，５０，５１，５２，５３，５４，５５，５６，５７，５８，５９はそれぞれ谷折り部、破線の折り目６０，６１，６２，６３，６４，６７，６８，６９，７０，７１，７２，７３，７４，７５，７６はそれぞれ山折り部となっている。また、面内の実線部分８１，８２，８３，８４，９１，９２，９３，９４，９５，９６，９７，９８，９９，１００，１０１，１０２，１０３はスリットとなっている。
【００３１】
そして、一点鎖線の折り目４１〜４５、５０〜５９に沿って谷折りし、破線の折り目６０〜６４、６７〜７６に沿って山折りすることで、図８乃至図１２、及び図１４のように外装箱２１の内周面に当接する当接片部１１１，１１２，１１３，１１４と、外装箱内周面から所定距離浮かせて衝撃吸収空間を確保するための空間確保片部１２１，１２２，１２３，１２４と、外装箱２１内を掃除機本体収納部Ａ、ホース収納部Ｂ、吸込具収納部Ｃ、及び連結パイプ収納部Ｄに画成する複数の収納部形成片部１３１，１３２，１３３，１３４が形成される。なお、ホース収納部Ｂは、図１４に一点鎖線で示すように各収納部形成片部１３１，１３２，１３３，１３４の外側に形成され、これらの外側部分に蛇腹状ホース２４が巻回され、収納部形成片部１３１，１３３にて画成される三角空間Ｂａ，Ｂｂ内にその両端の手元操作部２６と差込部２５が収納されるようになっている。また、連結パイプ収納部Ｄは、外装箱２１の平面的にみて中心軸線上に位置するように、対向する収納部形成片部１３２，１３４の各上縁より切り起こして形成した凹部１４１，１４２（図８）から形成し、かつ外装箱２１の前記中心軸方向内寸法は、連結パイプ３１の長さとほぼ一致するように設定されている。
【００３２】
連結パイプ収納部Ｄとなる凹部１４１，１４２には、図４、図５及び図８に示す別体からなるパイプ支持部材２９が上方よりはめ込まれ、パイプ支持部材２９内に連結パイプ３１が収納されるようになっている。パイプ支持部材２９は、連結パイプ３１とほぼ同じ長さに設定され、その各折り部となる折り目１５１，１５２に沿って谷折りすることで、凹部１４１，１４２間に跨って嵌め込むことができるようになっている。また、パイプ支持部材２９には、一端側にスリット１６１，１６２，１６３が設けられ、折り目１５１，１５２に沿って谷折りした際に、下方への突出片１７１，１７２が形成され、これら突出片１７１，１７２が、図３に示すようにパイプ支持部材２９を凹部１４１，１４２に嵌め込んだ際に、収納部形成片部１３２の外側に位置し、収納部形成片部１３２とこれに対向する外装箱２１の内面との間に衝撃吸収空間を形成する機能を有する。
【００３３】
また、図９に示す段ボールシート４０Ｂの当接片部１１３，１１４にそれぞれ形成した折り目６７，５７，６８、７５，５８，７６に沿って折り曲げることで、図２、図８及び図１４に示すように各当接片部１１３，１１４のコーナ部の下方に補強部１８１，１８２が形成され、衝撃などによって吸込具収納部Ｃの空間が狭まるのを防止できるようになっている。
【００３４】
また、図９に示す段ボールシート４０Ｂの当接片部１１３，１１４にそれぞれ形成したスリット９３，９８より形成される突出片１９１，１９２は、当該段ボールシート４０Ｂを折り曲げ形成した際に、スリット９２，９９にはめ込まれ、これによって図１４に示すように空間確保片部１２３，１２４により形成される衝撃吸収空間をバックアップし、衝撃などによって前記衝撃吸収空間が狭まるのを防止できるようになっている。
【００３５】
また、第１の底面シートとなる図１０の段ボールシート４０Ｃは、外装箱２１の内周面全周と底面部に当接可能な長方形に形成され、外装箱２１の底面からの衝撃を吸収する機能を有する。すなわち、段ボールシート４０Ｃには、その一方の短辺側に所定間隔離して長手内方向に延びるスリット１０１，１０２が設けられ、スリット１０１，１０２間に第２の底面シートとなる切り起こし片２００が形成されている。切り起こし片２００には、谷折りを容易に行えるようにシート厚み方向の下面側半分を切断した折り目５９（一点鎖線で示す）と、山折りを容易に行えるようにシート厚み方向の上面側半分を切断した折り目６０（破線で示す）とが形成されており、図１１のようにこれら折り目５９，６０から折り畳むことで、図１２のように３枚重ねにすることができるようになっている。さらに、切り起こし片２００には、その折り目６０の中央部（この部位には折り目が形成されていない）に外側に向けて半割リング状のスリット１０３が形成され、この半割リング状スリット１０３の内側に凸片１０４が形成されているとともに、段ボールシート４０Ｃ中程に、図１２のように切り起こし片２００を折り畳み３枚重ね状態にして凸片１０４を下方へ折り曲げた際に、凸片１０４が嵌入可能な係止用穴１０５が形成されている。
【００３６】
切り起こし片２００の折り目５９と折り目６０を折り畳むことで増加するシート厚み寸法Ｌ１（図１２）と、掃除機本体２３の底面部と車輪３の接地部との空間寸法Ｌ２（図１３）との関係は、Ｌ１≧Ｌ２となるように設定されている。したがって、切り起こし片２００を折り畳み重ねることにより、外装箱２１内にてこの折り畳み部が掃除機本体２３の底面部と当接し、段ボールシート４０Ｃによって掃除機本体２３が下方で支えられるようになっている。
【００３７】
次に、前述の構成を有する本実施形態の梱包装置の組付手順について図８乃至図１４に基づき、図２乃至図５を参照しながら説明する。
【００３８】
まず、図１０の展開状態にある段ボールシート（第１の底面シート）４０Ｃの切り起こし片（第２の底面シート）２００を、一点鎖線の折り目５９に沿って谷折りし、破線の折り目６０に沿って山折りして（図１１）、図１２のように３枚重ね状態にしてから凸片１０４を下方へ折り曲げて、係止用穴１０５と係合させる。次いで、このように３枚重ねのクッションが形成された段ボールシート４０Ｃを、外装箱２１内に収納する（図２）。
【００３９】
次に、図９の展開状態にある段ボールシート４０Ａ，４０Ｂを、一点鎖線の折り目４１〜４５、５０〜５８に沿って谷折りし、破線の折り目６１〜６４、６７〜７６に沿って山折りして、図８及び図１４のように当接片部１１１，１１２，１１３，１１４と、空間確保片部１２１，１２２，１２３，１２４と、収納部形成片部１３１，１３２，１３３，１３４とを形成し、引き続き図２のように外装箱２１内に収納する。これにより、外装箱２１内に、掃除機本体収納部Ａ、ホース収納部Ｂ、三角空間Ｂａ，Ｂｂ、吸込具収納部Ｃ、及び連結パイプ収納部Ｄが画成される。
【００４０】
次に、掃除機本体収納部Ａ内に、収納部形成片部１３２側が前方となるように掃除機本体２３を収納する。次いで、吸込具収納部Ｃ内に、Ｔ形ノズル２７と隙間ノズル２８を収納した後、各収納部形成片部１３１，１３２，１３３，１３４の外側に形成されているホース収納部Ｂに、蛇腹状ホース２４を巻回し、その両端の手元操作部２６と差込部２５を三角空間Ｂａ，Ｂｂ内にそれぞれ収納する。なお、隙間ノズル２８は三角空間Ｂｂ内に収納してもよい。
【００４１】
次いで、連結パイプ収納部Ｄとなる凹部１４１，１４２内に、パイプ支持部材２９を掛け渡して嵌め込む。そのとき、蛇腹状ホース２４を押さえ込むようにする。その後、パイプ支持部材２９内に、連結パイプ３１を収納し、外装箱２１のフラップを閉じ、粘着テープで固定する。
【００４２】
このように、本実施形態の梱包装置においても、前述の第１実施形態のものと同様に外装箱２１の平面的にみて中心軸線上に連結パイプ３１とパイプ支持部材２９を配置し、かつ外装箱２１の前記中心軸方向内寸法を連結パイプ３１の長さとほぼ一致させているので、前述の第１実施形態のものと同様に連結パイプ３１とパイプ支持部材２９が支柱として作用し、外装箱２１を補強する。このため、落下時の衝撃や輸送時の振動に対して連結パイプ３１とパイプ支持部材２９が支柱の役目を果たし、掃除機本体２３への直接の衝撃を緩和する。
【００４３】
また、掃除機本体２３は、３枚の段ボールシート４０Ａ，４０Ｂ，４０Ｃからなる緩衝材２２Ａによって外装箱２１の内面から浮いた状態で収納されているので、連結パイプ３１とパイプ支持部材２９による補強効果と相俟って、落下時の衝撃や輸送時の振動に対する保護機能が向上する。特に、底面シートとなる段ボールシート４０Ｃに３枚重ね部を一体に設けて、掃除機本体２３を浮かせて下方で支持するようにしているので、高温多湿状態の倉庫等においても保管中に車輪が変形するのを防止することができる。
【００４４】
また、第２の底面シートとなる切り起こし片２００を、第１の底面シートとなる段ボールシート４０Ｃに一体形成したので、段ボールシート４０Ｃによって第２の底面シートの位置が自動的に固定される。このため、製作が容易となる。
【００４５】
また、連結パイプ３１をパイプ支持部材２９を用いて収納しているため、他のアタッチメントとの干渉がなく、キズ付き防止となる。
【００４６】
なお、前述の各実施形態ではいずれもパイプ支持部材２９を用いて連結パイプ３１を収納するようにしたものを例に挙げて説明したが、連結パイプ収納部Ｄとなる凹部１４１，１４２により連結パイプ３１の自由動を防止できるため、パイプ支持部材２９は必ずしも必要ではない。さらに、凹部１４１，１４２は、収納部形成片部１３２，１３４の各上縁より切り起こして形成してあるため、切り起こし片が掃除機本体２３との間に存在する。このため、パイプ支持部材２９を用いなくとも、連結パイプ３１と掃除機本体２３との干渉を防止することができる。
【００４７】
【発明の効果】
以上述べたように、本発明によれば、掃除機本体、ホース、吸込具、及び連結パイプを、直方体から成る外装箱内にて固定して外部衝撃から保護する緩衝材を、再生可能な材料から成るシートから構成し、このシートは、外装箱の内面に当接する複数の当接片部と、外装箱内面から所定距離浮かせて衝撃吸収空間を確保するための複数の空間確保片部と、外装箱内を、掃除機本体収納部、ホース収納部、吸込具収納部、及び連結パイプ収納部に画成する複数の収納部形成片部とに折り曲げ又は切り起こし形成されるとともに、連結パイプ収納部は、複数の収納部形成片部のうち、前記直方体から成る外装箱を平面的にみてその長手方向に延びる中心軸線上に配置されてこの中心軸方向で対向する片部の各上縁より切り起こして形成した凹部から形成し、この凹部には、再生可能な材料から成りかつ連結パイプとほぼ同じ長さに設定された別体からなるパイプ支持部材をはめ込み、このパイプ支持部材内に連結パイプを収納し、さらに外装箱の中心軸方向内寸法を連結パイプの長さとほぼ一致させたので、連結パイプとパイプ支持部材を支柱として作用させることができて、外装箱を補強することができた。このため、落下時の衝撃や輸送時の振動に対して連結パイプとパイプ支持部材が支柱の役目を果たし、掃除機本体への直接の衝撃を緩和することができた。また、連結パイプをパイプ支持部材を用いて収納しているため、落下時の衝撃や輸送時の振動を連結パイプだけでなく、パイプ支持部材にも受けさせることができて、受圧面積の増大によって強度が向上し、外装箱の座屈破れを防止することができた。さらに、他のアタッチメントとの干渉を完全に防ぐことができて、キズ付きを防止することができた。
【図面の簡単な説明】
【図１】  本発明の第１実施形態に係る電気掃除機の梱包装置とこれに収納される掃除機との関係を示す分解斜視図である。
【図２】  第１実施形態に係る電気掃除機の梱包装置の緩衝材を外装箱内に組み入れた状態を示す斜視図である。
【図３】  第１実施形態に係る電気掃除機の梱包装置に掃除機本体、ホース、吸込具、パイプ支持部材、及び連結パイプを収納した状態を示す斜視図である。
【図４】  第１実施形態に係る電気掃除機の梱包装置のパイプ支持部材を示す平面図である。
【図５】  第１実施形態に係る電気掃除機の梱包装置のパイプ支持部材と連結パイプの関係を示す斜視図である。
【図６】  第１実施形態に係る電気掃除機の梱包装置の緩衝材を展開した状態を示す平面図である。
【図７】  第１実施形態に係る電気掃除機の梱包装置の緩衝材の完成状態を示す拡大平面図である。
【図８】  本発明の第２実施形態に係る電気掃除機の梱包装置とこれに収納される掃除機との関係を示す分解斜視図である。
【図９】  第２実施形態に係る電気掃除機の梱包装置の緩衝材を展開した状態を示す平面図である。
【図１０】  第２実施形態に係る電気掃除機の梱包装置の緩衝材の一部である底面シートを展開した状態を示す平面図である。
【図１１】  第１の底面シートと第２の底面シートの関係を示す側面図である。
【図１２】  図１１の異なる態様を示す側面図である。
【図１３】  掃除機本体の背面図である。
【図１４】  第２実施形態に係る電気掃除機の梱包装置の緩衝材の完成状態を示す拡大平面図である。
【符号の説明】
２１  外装箱、２２，２２Ａ  緩衝材、２３  掃除機本体、２４  ホース、２７  Ｔ形ノズル（吸込具）、２８  隙間ノズル（吸込具）、２９  パイプ支持部材、３１  連結パイプ、４０，４０Ａ，４０Ｂ  段ボールシート（シート）、４０Ｃ  段ボールシート（第１の底面シート）、１１１〜１１６  当接片部、１２１〜１２６  空間確保片部、１３１〜１３４  収納部形成片部、１４１，１４２凹部、２００  切り起こし片（第２の底面シート）、Ａ  掃除機本体収納部、Ｂ  ホース収納部、Ｃ  吸込具収納部、Ｄ  連結パイプ収納部。
【図１】
0004099710.tif 000002
【図２】
0004099710.tif 000003
【図３】
0004099710.tif 000004
【図４】
0004099710.tif 000005
【図５】
0004099710.tif 000006
【図６】
0004099710.tif 000007
【図７】
0004099710.tif 000008
【図８】
0004099710.tif 000009
【図９】
0004099710.tif 000010
【図１０】
0004099710.tif 000011
【図１１】
0004099710.tif 000012
【図１２】
0004099710.tif 000013
【図１３】
0004099710.tif 000014
【図１４】
0004099710.tif 000015